(57)【要約】【課題】軽量で簡易な構造でマスクと使用者の顔面との間に隙間ができず、しかも、装着性がよいマスクカバーを提供する。【解決手段】伸縮性を有する熱可塑性エラストマー樹脂を平板状に形成して成るカバー本体１０と、カバー本体１０に設けられた、空気をマスク９に通過させる第１通気部２０と、カバー本体１０の左右両端部に備えられ、カバー本体と同じ材料で一体成型された、カバー本体１０を使用者の耳に掛けるための耳掛け部３０と、を備え、カバー本体１０は、使用者が耳掛け部３０を耳に掛けてマスク９を上方から押さえるように装着したとき、縦横方向の端部がそれぞれマスク９の縦横端部よりも外部に突出して、マスク９の縦横端部を使用者の顔面に押さえつけるようにしたマスクカバー１。【選択図】図１
2020111868.tif 000002
【特許請求の範囲】
【請求項１】
伸縮性を有する材料を平板状に形成して成るカバー本体と、
前記カバー本体に設けられた、空気をマスクに通過させる第１通気部と、
前記カバー本体の左右両端部に備えられ、前記カバー本体を使用者の耳に掛けるための耳掛け部と、
を備え、
前記カバー本体は、
使用者が前記耳掛け部を耳に掛けてマスクを上方から押さえるように装着したとき、縦横方向の端部がそれぞれ前記マスクの縦横端部よりも外部に突出して、前記マスクの縦横端部を使用者の顔面に押さえつけることを特徴とするマスクカバー。
【請求項２】
請求項１に記載のマスクカバーにおいて、
前記第１通気部の上方に第２通気部を備えていることを特徴とするマスクカバー。
【請求項３】
請求項１又は請求項２に記載のマスクカバーにおいて、
前記第１通気部の下方に孔部を備えていることを特徴とするマスクカバー。
【請求項４】
請求項１〜請求項３の何れか１項に記載のマスクカバー（１）において、
前記カバー本体及び前記耳掛け部を形成する材料は、熱可塑性エラストマーであることを特徴とするマスクカバー。
【発明の詳細な説明】
【技術分野】
【０００１】
本発明は、衛生用マスクの上から着用することにより衛生用マスクと顔面の間に隙間ができないようにし、細菌や花粉などの身体内への侵入を防止することができるマスクカバーに関する。
【背景技術】
【０００２】
従来、軟性物質から成り、内面形状が患者用呼吸マスクの外面形状に適合するように形成された可撓性を有するマスクカバーがある。そのマスクカバーには開口した底部があり、その底部に対向して患者用呼吸マスクのソケット部を受け入れ可能な開口が設けられている。また、カバーの側面部には、患者用呼吸マスクが通し見える頬用開口が設けられている。さらに、カバーの顎部と頬部は変形自在となっており、圧力が加えられるとカバーが変形するようになっている（例えば、特許文献１参照）。
【先行技術文献】
【特許文献】
【０００３】
【特許文献１】特開２００４−００８８００号公報
【発明の概要】
【発明が解決しようとする課題】
【０００４】
上記従来のマスクカバーは、患者用呼吸マスク患者の顔の骨格構造にピッタリはまるように保持することが可能となるが、構造が複雑で重量も大きく、一般のマスクカバーとしては使いにくいものであるという問題があった。
【０００５】
本発明は、こうした問題に鑑みなされたもので、軽量で簡易な構造でマスクと使用者の顔面との間に隙間ができず、しかも、装着性がよいマスクカバーを提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
［適用例１］
適用例１に記載のマスクカバー（１）は、
伸縮性を有する材料を平板状に形成して成るカバー本体（１０）と、
前記カバー本体（１０）に設けられた、空気をマスク（９）に通過させる第１通気部（２０）と、
前記カバー本体（１０）の左右両端部に備えられ、前記カバー本体（１０）を使用者の耳に掛けるための耳掛け部（３０）と、
を備え、
前記カバー本体（１０）は、
使用者が前記耳掛け部（３０）を耳に掛けてマスク（９）を上方から押さえるように装着したとき、縦横方向の端部がそれぞれ前記マスク（９）の縦横端部よりも外部に突出して、前記マスク（９）の縦横端部を使用者の顔面に押さえつけることを要旨とする。
【０００８】
一般的にマスク（９）は顔面に装着したときに、縦横端部の一部が顔面から浮き上がってしまい、顔面とマスク（９）との間に隙間ができる。すると、その隙間から花粉や細菌など微細物質がマスク（９）の内側に侵入してしまうことが多い。
【０００９】
それに対し、適用例１に記載のマスクカバー（１）では、使用者が耳掛け部（３０）を耳に掛けてマスク（９）を上方から押さえるように装着したとき、カバー本体（１０）に伸縮性があるため、縦横方向の端部がそれぞれマスク（９）の縦横端部よりも外部に突出して、マスク（９）の縦横端部を使用者の顔面に押さえつける。
【００１０】
したがって、マスク（９）の縦横端部が使用者の顔面に密着し、顔面とマスク（９）との間に隙間ができなくなる。つまり、微細物質がマスク（９）の内側に侵入することが少なくなる。さらに、カバー本体（１０）に空気を通す第１通気部（２０）が設けられているため、マスク（９）の縦横端部が顔面に密着していても、使用者に対して、第１通気部（２０）とマスク（９）を通して適量の空気が供給されるため使用者の快適性も保ことができる。
【００１１】
［適用例２］
適用例２に記載のマスクカバー（１）は、適用例１に記載のマスクカバー（１）において、
前記第１通気部（２０）の上方に第２通気部（４０）を備えていることを要旨とする。
【００１２】
このようなマスクカバー（１）では、第２通気部（４０）が第１通気部（２０）の上方に設けられている。したがって、使用者がマスクカバー（１）を装着したとき、第１通気部（２０）が使用者の口の部分に位置すると、第２通気部（４０）が使用者の鼻の部分に位置することになるため、使用者の快適性がより向上する。
【００１３】
［適用例３］
適用例３に記載のマスクカバー（１）は、適用例１又は適用例２に記載のマスクカバー（１）において、
前記第１通気部（２０）の下方に孔部（５０）を備えていることを要旨とする。
【００１４】
このようなマスクカバー（１）では、孔部（５０）が第１通気部（２０）の下方に設けられている。したがって、使用者がマスクカバー（１）を装着したとき、第１通気部（２０）が使用者の口の部分に位置すると、孔部（５０）が使用者の顎の部分に位置し、顎が孔部（５０）に貫入して顎を固定することになるため、マスクカバー（１）の密着性と装着性が向上する。
【００１５】
［適用例４］
適用例４に記載のマスクカバー（１）は、適用例１〜適用例３の何れか１項に記載のマスクカバー（１）において、
前記カバー本体（１０）及び前記耳掛け部（３０）を形成する材料は、熱可塑性エラストマーであることを要旨とする。
【００１６】
このようなマスクカバー（１）は、カバー本体（１０）及び耳掛け部（３０）が熱可塑性エラストマーでできているため、適度な伸縮性と柔軟性がえられる。したがって、マスクカバー（１）装着時に使用者の顔面にマスク（９）を密着させることができるとともに、長時間に亘るマスクカバー（１）装着時の使用者の快適性を保つこともできる。
【図面の簡単な説明】
【００１７】
【図１】第１実施形態におけるマスクカバーの概略の外観を示す図である。
【図２】マスクカバーを装着した様子を示す写真である。
【図３】マスクのみを装着した様子を示す写真である。
【図４】第２実施形態におけるマスクカバーの概略の外観を示す図である。
【図５】第３実施形態におけるマスクカバーの概略の外観を示す図である。
【図６】第４実施形態におけるマスクカバーの概略の外観を示す図である。
【図７】その他の実施形態におけるマスクカバーの概略の外観を示す図である。
【図８】その他の実施形態におけるマスクカバーの概略の外観を示す図である。
【図９】その他の実施形態におけるマスクカバーの概略の外観を示す図である。
【図１０】その他の実施形態におけるマスクカバーの概略の外観を示す図である。
【発明を実施するための形態】
【００１８】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１９】
［第１実施形態］
（マスクカバーの製法）
図１に基づき、マスクカバー１の構成について説明する。図１は、マスクカバー１の概略の外観を示す図である。なお、図１、図４〜図９については、マスクカバー１〜７の正面図のみを示しているが、マスクカバー１〜７は、平板を切断又は打ち抜き加工しているため、底面図も同様の形状であり、正面図、背面図、左側面図、右側面図とともに図示を省略している。
【００２０】
図１に示すように、カバー本体１０、第１通気部２０及び耳掛け部３０を備えている。
カバー本体１０は、熱可塑性エラストマー（株式会社タナック製のクリスタルゲル（登録商標））を厚さ約１［ｍｍ］の平板とし、その平板を略長方形となるように切断又は型で打ち抜いて形成する。
【００２１】
第１通気部２０は、カバー本体１０の略中央部に設けられた通気用の孔であり、カバー本体１０に打ち抜き加工で形成する。孔の形状は、図１に示すように、略長方形状の角部に大きめのＲを付けた形状となっている。
【００２２】
耳掛け部３０は、カバー本体１０の左右両端部に設けられた、カバー本体１０を使用者の耳に掛けるための部分であり、カバー本体１０の左右両端部分を更に延伸させて、端部に丸みがあるように形成されている。
【００２３】
また、延伸された部分に使用者の耳に掛けるための長方形状で左右内側の上下の角に大きなＲをつけた形状の孔を設けている。なお、本実施形態では、カバー本体１０と耳掛け部３０とを熱可塑性エラストマーの平板を打ち抜き成形により一体成形している。
【００２４】
（マスクカバーの使用方法）
次に図２に基づき、マスクカバー１の使用方法について説明する。図２は、マスクカバー１を装着した様子を示す写真である。
【００２５】
図２に示すように、使用者は、マスク９を顔面に装着し、その上からマスクカバー１を被せ、耳掛け部３０を伸ばして、耳に掛ける。
その状態でマスクカバー１の上端部と下端部をそれぞれ上下方向に引っ張り、マスク９の端部をマスクカバー１で覆い、マスク９の上端部及び下端部と顔面との隙間がなくなるようにする。このとき、第１通気部２０が使用者の口の部分に位置するようにする。
【００２６】
（マスクカバーの特徴）
以上のようなマスクカバー１では、使用者が耳掛け部３０を耳に掛けてマスク９を上方から押さえるように装着したとき、カバー本体１０に伸縮性があるため、縦横方向の端部がそれぞれマスク９の縦横端部よりも外部に突出して、マスク９の縦横端部を使用者の顔面に押さえつける。
【００２７】
したがって、マスク９の縦横端部が使用者の顔面に密着し、顔面とマスク９との間に隙間ができなくなり、微細物質がマスク９の内側に侵入することがなくなる。さらに、カバー本体１０に空気を通す第１通気部２０が設けられているため、マスク９の縦横端部が顔面に密着していても、使用者に対して、第１通気部２０とマスク９を通して適量の空気が供給されるため使用者の快適性も保つことができる。
【００２８】
また、カバー本体１０及び耳掛け部３０が熱可塑性エラストマーの薄い平板でできているため、軽量で適度な伸縮性と柔軟性が得られる。したがって、マスクカバー１装着時に使用者の顔面にマスク９を密着させることができるとともに、長時間に亘るマスクカバー１装着時の使用者の快適性を保つこともできる。
【００２９】
（試験結果）
実際に、マスクカバー１の非装着時と装着時とにおける微粒子の漏れ試験を実施した。図３に示すマスク９のみを顔面に装着した場合と、図２に示すマスク９及びマスクカバー１を装着した場合とで微粒子の漏れ率（外部の微粒子の数に対する、装着しているマスク９の内部に漏れてくる数の割合）を計測した。
【００３０】
計測は、一般的な使い捨ての不織布マスクを用い、柴田化学株式会社製の老研式マスクフィッティングテスターＭＴ−０３を用い、０．３か〜０．５［μｍ」の粒子に対して実施した。
その結果、マスクカバー１の非装着時に、微粒子の漏れ率が１００［％］であったものがマスクカバー１の装着時に、微粒子の漏れ率が１３．３［％］に低下（改善）した。
【００３１】
これは、図３に示すように、マスクカバー１非装着時の場合には、マスク９と顔面の鼻の両脇に部分やマスク９の側面の折れの部分に隙間ができ、そこからマスク９の内部に侵入する微粒子が、マスクカバー１によりそれらの隙間がなくなることを示していると考えられ、マスクカバー１の効果が十分に得られているものと考えられる。
【００３２】
［第２実施形態］
次に、図４に基づき第２実施形態におけるマスクカバー２について説明する。図４は、第２実施形態におけるマスクカバー２の概略の外観を示す図である。なお、以下の第２実施形態から第６形態におけるマスクカバー２〜６は、第１実施形態におけるマスクカバー１と構成は類似しており材料は同じであるため、同じ構成要素には同じ符号を付して、その説明を省略する。
【００３３】
第２実施形態におけるマスクカバー２は、第１通気部２０が４つの通気孔２０ａ，通気孔２０ｂ、通気孔２０ｃ及び通気孔２０ｄから成っている。通気孔２０ａは、上側に設けられた山形の孔、通気孔２０ｄは、下側に設けられた谷型の孔、通気孔２０ｂ，２０ｃは、通気孔２０ａ、通気孔２０ｂの間に設けられた上底と下底を縦方向とする台形の孔であり、下底を隣接対向させた状態で左右対称に配置してある。
【００３４】
また、耳掛け部３０の孔の形状が略長方形の上方外側の角部のＲを大きくした形状となっている。
さらに、第１通気部２０の上方に、横長のレーストラック状の孔である第２通気部４０が設けられている。
【００３５】
このように、第２通気部４０を第１通気部２０の上方に設けることによって、使用者がマスクカバー１を装着したときに、第１通気部２０が使用者の口の部分に位置させると、第２通気部４０が使用者の鼻の部分に位置することになるため、使用者の快適性がより向上する。
【００３６】
［第３実施形態］
次に図５に基づき第３実施形態におけるマスクカバー３について説明する。図５は、第３実施形態におけるマスクカバー３の概略の外観を示す図である。
【００３７】
第３実施形態におけるマスクカバー３は、第１通気部２０がそろばんの珠の断面の中央の端部を縦方向に削った形状となっている。
また、耳掛け部３０の孔の形状が略円形の下方内側に角部が形成された形状となっている。
【００３８】
さらに、第１通気部２０の下方に、横長のレーストラック状の孔である孔部５０が設けられている。
このように、孔部５０を第１通気部２０の下方に設けることによって、使用者がマスクカバー１を装着したとき、使用者が第１通気部２０を口の部分に位置させると、孔部５０が使用者の顎の部分に位置し、顎が孔部５０に貫入して顎を固定することになるため、マスクカバー１の密着性と装着性が向上する。
【００３９】
［第４実施形態］
次に図６に基づき第３実施形態におけるマスクカバー４について説明する。図６は、第４実施形態におけるマスクカバー４の概略の外観を示す図である。
【００４０】
第４実施形態におけるマスクカバー４は、第１通気部２０の形状がレーストラック状となっている。また、耳掛け部３０の孔の形状が略円形となっている。
さらに、第１通気部２０の上方に、横長のレーストラック状の孔である第２通気部４０が設けられ、第１通気部２０の下に、横長のレーストラック状の孔である孔部５０が設けられている。
【００４１】
このように、第２通気部４０と孔部５０を設けることによって、マスク９の顔面に対する密着性を高めるとともに使用者の快適性も向上させることができる。
【００４２】
［その他の実施形態］
以上、本発明の実施形態について説明したが、本発明は、本実施形態に限定されるものではなく、種々の態様を採ることができる。
（１）上記第２実施形態を除く実施形態では、第１通気部２０を１個の孔で形成していたが、図６に示すように、メッシュ状に多数の孔を設けるようにしてもよい。
【００４３】
（２）上記実施形態では、カバー本体１０及び耳掛け部３０の外形形状は、上下方向に対称な形状であったが、図７に示すように、上下方向に非対称の形状であってもよい。換言すれば、カバーするマスクの形状によって、形状を変化させてもよい。
【００４４】
（３）また、図８に示すように、第１通気部２０を口の形状、耳掛け部３０の孔の形状を半円形にするようにしてもよい。
【００４５】
（４）また、図９に示すように、第１通気部２０をレーストラック形状の直線部分を三角形状とし、耳掛け部３０をカバー本体１０の左右両端部分を更に延伸させて、端部に丸みがあるように形成してもよい。
（５）また、図１０に示すように、上記第１実施形態のマスクカバー１の耳掛け部３０の孔の形状を長方形状で外側の上下の角に大きなＲをつけた形状の孔を設けるようにしてもよい。
【００４６】
（６）上記実施形態では、カバー本体１０と耳掛け部３０とを同じ熱可塑性エラストマーの平板で一体成型していたが、例えばシリコーンなどの他の樹脂や布地の周囲にゴムなどの弾性体を備えたものとしてもよい。
また、耳掛け部３０をカバー本体１０とゴムなどの材料で別体として形成し、接着や縫い付けなどでカバー本体１０と一体化してもいい。
【００４７】
（７）上記実施形態では、マスクカバー１でカバーする対象物をマスク９としたが、マスクの機能を果たすもの、例えば、ガーゼやハンカチなどの布地、複数枚重ねたティッシュペーパーなどの紙類であってもよい。
【符号の説明】
【００４８】
１，２，３，４，５，６，７，８… マスクカバー  ９… マスク  １０… カバー本体  ２０… 第１通気部  ２０ａ，２０ｂ，２０ｃ，２０ｄ… 通気孔  ３０… 耳掛け部  ４０… 第２通気部  ５０… 孔部。
【図１】
2020111868.tif 000003
【図２】
2020111868.tif 000004
【図３】
2020111868.tif 000005
【図４】
2020111868.tif 000006
【図５】
2020111868.tif 000007
【図６】
2020111868.tif 000008
【図７】
2020111868.tif 000009
【図８】
2020111868.tif 000010
【図９】
2020111868.tif 000011
【図１０】
2020111868.tif 000012
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
伸縮性を有する材料を平板状に形成して成るカバー本体と、
前記カバー本体に設けられた、空気を、カバーの対象となるマスク、布地又は紙類に通過させる第１通気部と、
前記カバー本体の左右両端部に備えられ、前記カバー本体を使用者の耳に掛けるための耳掛け部と、
を備え、
前記カバー本体は、
使用者が前記耳掛け部を耳に掛けて前記カバーの対象となるマスク、布地又は紙類を上方から押さえるように装着したとき、縦横方向の端部がそれぞれ前記カバーの対象となるマスク、布地又は紙類の縦横端部よりも外部に突出して、前記マスクの縦横端部を使用者の顔面に押さえつけることを特徴とするマスクカバー。
【請求項２】
請求項１に記載のマスクカバーにおいて、
前記第１通気部の上方に第２通気部を備えていることを特徴とするマスクカバー。
【請求項３】
請求項１又は請求項２に記載のマスクカバーにおいて、
前記第１通気部の下方に孔部を備えていることを特徴とするマスクカバー。
【請求項４】
請求項１〜請求項３の何れか１項に記載のマスクカバーにおいて、
前記第１通気部は、複数の孔を備えていることを特徴とするマスクカバー。
【請求項５】
請求項１〜請求項４の何れか１項に記載のマスクカバーにおいて、
前記カバー本体及び前記耳掛け部を形成する材料は、熱可塑性エラストマーであることを特徴とするマスクカバー。
【請求項６】
請求項１〜請求項４の何れか１項に記載のマスクカバーにおいて、
前記カバー本体を形成する材料は、シリコーンであることを特徴とするマスクカバー。